(57)【要約】【課題】放送コンテンツと通信コンテンツを滑らかに切り替えることが可能であるコンテンツ再生装置及びコンテンツ再生プログラムを提供すること。【解決手段】放送コンテンツストリーム一時蓄積部１４と、番組再生ファイルとは一番組を構成する内容の一部が、異なる再生時間の内容に差し替わっているユーザ向けの番組再生シナリオファイルの内容を解釈する番組再生シナリオ解釈部１５と、解釈された番組再生シナリオファイルの内容に基づき、ネットワーク上のコンテンツサーバに対して、所定のタイミングで必要なコンテンツの送信要求を行う通信コンテンツリクエスト部１７と、通信コンテンツストリームを蓄積する通信コンテンツストリーム一時蓄積部１９と、番組再生シナリオ解釈部１５によって解釈された番組再生シナリオファイルの内容に基づき、放送コンテンツと通信コンテンツの出力切り替えを行う出力コンテンツ切替制御部２０とを備える。【選択図】図３
2011193184.tif 000002
【特許請求の範囲】
【請求項１】
予め作成された、一番組を構成する複数の番組内容で構成されている番組再生ファイルに基づいて送信される放送波を復調する放送波復調部と、
前記復調された放送コンテンツストリームを多重分離する放送コンテンツストリーム多重分離部と、
多重分離された前記放送コンテンツストリームを一時的に蓄積する放送コンテンツストリーム一時蓄積部と、
前記番組再生ファイルの中の一番組を構成する番組内容の一部が、前記番組再生ファイルの再生時間とは異なる番組内容に差し替わっているユーザ向けの番組再生シナリオファイルの番組内容を所定のフォーマットにしたがって解釈する番組再生シナリオ解釈部と、
前記番組再生シナリオ解釈部によって解釈された前記番組再生シナリオファイルの内容に基づいて、ネットワーク上のコンテンツサーバに対して、所定のタイミングで必要なコンテンツの送信要求を行う通信コンテンツリクエスト部と、
前記通信コンテンツリクエスト部による送信要求に基づいて、前記コンテンツサーバから送信された通信コンテンツストリームを一時的に蓄積する通信コンテンツストリーム一時蓄積部と、
前記番組再生シナリオ解釈部によって解釈された前記番組再生シナリオファイルの内容に基づいて、前記放送コンテンツストリームと前記通信コンテンツストリームの出力切り替えを行う出力コンテンツ切替制御部とを備えるコンテンツ再生装置。
【請求項２】
前記放送コンテンツストリーム多重分離部は、前記放送コンテンツストリームに含まれる時間情報を抽出し、
前記出力コンテンツ切替制御部は、前記時間情報に基づいて、前記放送コンテンツストリームから前記通信コンテンツストリームに切り替える請求項１記載のコンテンツ再生装置。
【請求項３】
前記放送コンテンツストリーム多重分離部は、前記放送コンテンツストリームを多重分離して得られる一番組を構成する複数のコンテンツにおいて、各コンテンツを切り替える切替タイミング情報を抽出し、
前記出力コンテンツ切替制御部は、前記切替タイミング情報に基づいて、前記放送コンテンツストリームから前記通信コンテンツストリームに切り替える請求項１記載のコンテンツ再生装置。
【請求項４】
前記出力コンテンツ切替制御部は、前記番組再生シナリオファイルに含まれている各コンテンツの再生時間又は再生終了点まで再生が終了したタイミングで、前記放送コンテンツストリームから前記通信コンテンツストリームへの切り替え、及び前記通信コンテンツストリームから前記放送コンテンツストリームへの切り替えを行う請求項１記載のコンテンツ再生装置。
【請求項５】
前記番組再生ファイルと前記番組再生シナリオファイルは、複数のコンテンツから構成されており、少なくとも最初のコンテンツは同一であり、
前記出力コンテンツ切替制御部は、前記番組再生シナリオファイルの内容に基づいて最初のコンテンツを出力する場合には、前記放送コンテンツストリームを出力するように切り替える請求項１記載のコンテンツ再生装置。
【請求項６】
予め作成された、一番組を構成する複数の番組内容で構成されている番組再生ファイルに基づいて送信される放送波を復調する放送波復調部と、
前記復調された放送コンテンツストリームを多重分離する放送コンテンツストリーム多重分離部と、
多重分離された前記放送コンテンツストリームを一時的に蓄積する放送コンテンツストリーム一時蓄積部と、
前記番組再生ファイルの中の一番組を構成する番組内容の一部が、前記番組再生ファイルの再生時間とは異なる番組内容に差し替わっているユーザ向けの番組再生シナリオファイルの番組内容を所定のフォーマットにしたがって解釈する番組再生シナリオ解釈部と、
前記番組再生シナリオ解釈部によって解釈された前記番組再生シナリオファイルの内容に基づいて、ネットワーク上のコンテンツサーバに対して、所定のタイミングで必要なコンテンツの送信要求を行う通信コンテンツリクエスト部と、
前記通信コンテンツリクエスト部による送信要求に基づいて、前記コンテンツサーバから送信された通信コンテンツストリームを一時的に蓄積する通信コンテンツストリーム一時蓄積部と、
前記番組再生シナリオ解釈部によって解釈された前記番組再生シナリオファイルの内容に基づいて、前記放送コンテンツストリームと前記通信コンテンツストリームの出力切り替えを行う出力コンテンツ切替制御部とを備えるコンピュータを、コンテンツ再生装置として機能させるコンテンツ再生プログラム。
【発明の詳細な説明】
【技術分野】
【０００１】
本発明は、放送サービスと通信サービスを連携させることにより、放送コンテンツの一部を通信から取得した任意のコンテンツ（通信コンテンツ）に差し替えて再生するコンテンツ再生装置及びコンテンツ再生プログラムに関する。
【背景技術】
【０００２】
放送−通信連携型の双方向サービスにおいて、放送波によってコンテンツが配信され、ユーザの受信端末においてコンテンツが受信される。このコンテンツを受信した数多くの受信端末では、通信サービスを利用して配信される通信コンテンツに含まれる、サーバ等へのアクセス先情報を元に、ネットワークを経由して関連情報サービスへのアクセスを行う機能を有している。
【０００３】
このとき、ユーザが過去に視聴したＣＭの内容や回数によって番組中に流されるＣＭをよりユーザの嗜好に合ったＣＭに差し替える技術がある（例えば、特許文献１）。また、本技術は、ＣＭを差し替えるだけでなく、番組中のあるシーンの映像や音声をよりユーザの嗜好に合った別の映像や音声に差し替える技術が提示されている。
【０００４】
また、特許文献２では、放送を受信するときに電波の受信状態が悪くなると、放送しているコンテンツと同じコンテンツを通信ネットワークから受け取り、放送コンテンツから通信コンテンツに切り替えることで、電波の受信状態が悪くなっても、コンテンツを途切れずにユーザに提供する技術が提示されている。
【先行技術文献】
【特許文献】
【０００５】
【特許文献１】特開２００７−２５８９９１号公報
【特許文献２】特開２００４−２９７６２８号公報
【発明の概要】
【発明が解決しようとする課題】
【０００６】
しかしながら、特許文献１は、番組中に流されるＣＭを別のＣＭに差し替えることが主眼であるため、例えば、差し替えるＣＭの再生時間が元のＣＭの再生時間よりも長い場合には、対応が困難である。
【０００７】
ここで、特許文献１には、差し替えるＣＭの再生時間が元のＣＭの再生時間よりも長い場合に、差替え後のＣＭから本来の番組の放送に違和感なく切り替えるための技術的解決手段が示されていない。
【０００８】
さらに、特許文献１は、番組がＣＭに切り替わるタイミングが予め分かっている場合にのみ有効なものであり、生放送のニュース番組やスポーツ中継のように、ＣＭに切り替わるタイミングが事前には分からない場合には、対応することができない。
【０００９】
また、特許文献２においては、放送コンテンツと通信コンテンツとは、取得する経路が異なるだけであって同一のコンテンツであるので、再生時間が同一となる。よって、特許文献２では、放送コンテンツの再生時間と通信コンテンツの再生時間とが異なる場合には、対応することができない。
【００１０】
例えば、従来技術では、規定の時間の情報番組を放送する場合、放送は、１対多の一方向性の伝送メディアであるため、大多数の視聴者が好むであろうと番組制作者が予想した番組内容にせざるを得ない。
【００１１】
一方、視聴者は、多種多様な趣味や嗜好を持っており、放送される番組を見て、もっと自分好みの番組内容であって欲しいと希望することがある。
【００１２】
このような場合には、番組内容の一部をユーザ一人ひとりの趣味や嗜好に合うように、自由に映像シーンを他の映像シーンに差し替えることができれば、各ユーザは、より深くその番組を楽しむことができる。
【００１３】
また、ある情報番組の放送時間が規定の時間であったとして、あるユーザが視聴時間として確保できる時間がこの規定の時間以上であった場合には、この情報番組の元となったオリジナルの情報番組に含まれるある映像シーンを、再生時間の長い他の映像シーンに差し替えることによって、視聴時間を前記した規定の時間以上にすることで、そのユーザは、自身の嗜好に沿った方法で、より深く番組を楽しむことが可能となる。
【００１４】
しかしながら、既存の放送−通信連携によるコンテンツ再生技術では、個人的に内容の改変が行えない放送を視聴しながら、あるシーンを、ユーザの嗜好に合わせて再生時間の異なる他のシーンに切り替え、その後再び放送されているシーンに滑らかに切り替えることはできない。
【００１５】
そこで、本発明は、上記問題を解決するために、放送コンテンツを構成する映像シーンを、通信から取得した映像シーンに差し替えて提示する際に、通信から取得する映像シーンの長さがオリジナルの放送コンテンツの映像シーンの長さと異なる場合でも差し替えて提示することを可能にするコンテンツ再生装置及びコンテンツ再生プログラムを提供することが目的の一つである。
【００１６】
また、本発明は、生放送のニュース番組のように、予め映像シーンの切り替えタイミングがわからない場合であっても、放送コンテンツと通信コンテンツを滑らかに切り替えることが可能であるコンテンツ再生装置及びコンテンツ再生プログラムを提供することも目的の一つである。
【課題を解決するための手段】
【００１７】
請求項１に記載されたコンテンツ再生装置は、予め作成された、一番組を構成する複数の番組内容で構成されている番組再生ファイルに基づいて送信される放送波を復調する放送波復調部と、前記復調された放送コンテンツストリームを多重分離する放送コンテンツストリーム多重分離部と、多重分離された前記放送コンテンツストリームを一時的に蓄積する放送コンテンツストリーム一時蓄積部と、前記番組再生ファイルの中の一番組を構成する番組内容の一部が、前記番組再生ファイルの再生時間とは異なる番組内容に差し替わっているユーザ向けの番組再生シナリオファイルの番組内容を所定のフォーマットにしたがって解釈する番組再生シナリオ解釈部と、前記番組再生シナリオ解釈部によって解釈された前記番組再生シナリオファイルの内容に基づいて、ネットワーク上のコンテンツサーバに対して、所定のタイミングで必要なコンテンツの送信要求を行う通信コンテンツリクエスト部と、前記通信コンテンツリクエスト部による送信要求に基づいて、前記コンテンツサーバから送信された通信コンテンツストリームを一時的に蓄積する通信コンテンツストリーム一時蓄積部と、前記番組再生シナリオ解釈部によって解釈された前記番組再生シナリオファイルの内容に基づいて、前記放送コンテンツストリームと前記通信コンテンツストリームの出力切り替えを行う出力コンテンツ切替制御部とを備える構成とした。
【００１８】
かかる構成によれば、本発明のコンテンツ再生装置は、ユーザ向けの番組再生シナリオファイルが番組再生ファイルとは一番組を構成する番組内容の一部が、異なる再生時間の番組内容に差し替わっているので、再生時間の異なる放送コンテンツストリームと通信コンテンツストリームを相互に入れ替えて提示することを可能にしている。
【００１９】
請求項２に記載された発明は、請求項１記載のコンテンツ再生装置において、前記放送コンテンツストリーム多重分離部は、前記放送コンテンツストリームに含まれる時間情報を抽出し、前記出力コンテンツ切替制御部は、前記時間情報に基づいて、前記放送コンテンツストリームから前記通信コンテンツストリームに切り替える構成とした。
【００２０】
かかる構成によれば、本発明のコンテンツ再生装置は、放送コンテンツストリームに含まれている時間情報（例えば、デコードタイミング情報（ＤＴＳ）や提示タイミング情報（ＰＴＳ））を利用して、放送コンテンツストリームから通信コンテンツストリームに切り替えるので、コンテンツの切り替えを滑らかに行うことを可能にしている。
【００２１】
請求項３に記載された発明は、請求項１記載のコンテンツ再生装置において、前記放送コンテンツストリーム多重分離部は、前記放送コンテンツストリームを多重分離して得られる一番組を構成する複数のコンテンツにおいて、各コンテンツを切り替える切替タイミング情報を抽出し、前記出力コンテンツ切替制御部は、前記切替タイミング情報に基づいて、前記放送コンテンツストリームから前記通信コンテンツストリームに切り替える構成とした。
【００２２】
かかる構成によれば、本発明のコンテンツ再生装置は、切替タイミング情報（例えば、イベントメッセージ等の情報）に基づいて、放送コンテンツストリームから通信コンテンツストリームに切り替えるので、例えば、生放送のニュース番組等で、シーン切り替わりのタイミングが予めわからない場合であっても、コンテンツの切り替えを滑らかに行うことを可能にしている。
【００２３】
請求項４に記載された発明は、請求項１記載のコンテンツ再生装置において、前記出力コンテンツ切替制御部は、前記番組再生シナリオファイルに含まれている各コンテンツの再生時間又は再生終了点まで再生が終了したタイミングで、前記放送コンテンツストリームから前記通信コンテンツストリームへの切り替え、及び前記通信コンテンツストリームから前記放送コンテンツストリームへの切り替えを行う構成とした。
【００２４】
かかる構成によれば、本発明のコンテンツ再生装置は、各コンテンツの再生時間又は再生終了点まで再生が終了したタイミングで、放送コンテンツストリームから通信コンテンツストリームへの切り替え、及び通信コンテンツストリームから放送コンテンツストリームへの切り替えを行うので、滑らかなコンテンツの切り替えを可能にしている。
【００２５】
請求項５に記載された発明は、請求項１記載のコンテンツ再生装置において、前記番組再生ファイルと前記番組再生シナリオファイルは、複数のコンテンツから構成されており、少なくとも最初のコンテンツは同一であり、前記出力コンテンツ切替制御部は、前記番組再生シナリオファイルの内容に基づいて最初のコンテンツを出力する場合には、前記放送コンテンツストリームを出力するように切り替える構成とした。
【００２６】
かかる構成によれば、本発明のコンテンツ再生装置は、番組再生シナリオファイルの内容に基づいて最初のコンテンツを出力する場合には、前記放送コンテンツストリームを出力するように切り替えるので、番組再生ファイルにしたがって番組を視聴し始めたユーザに対して、その後、番組再生シナリオファイルにしたがった番組の視聴を可能にしている。
【００２７】
請求項６に記載されたコンテンツ再生プログラムは、予め作成された、一番組を構成する複数の番組内容で構成されている番組再生ファイルに基づいて送信される放送波を復調する放送波復調部と、前記復調された放送コンテンツストリームを多重分離する放送コンテンツストリーム多重分離部と、多重分離された前記放送コンテンツストリームを一時的に蓄積する放送コンテンツストリーム一時蓄積部と、前記番組再生ファイルの中の一番組を構成する番組内容の一部が、前記番組再生ファイルの再生時間とは異なる番組内容に差し替わっているユーザ向けの番組再生シナリオファイルの番組内容を所定のフォーマットにしたがって解釈する番組再生シナリオ解釈部と、前記番組再生シナリオ解釈部によって解釈された前記番組再生シナリオファイルの内容に基づいて、ネットワーク上のコンテンツサーバに対して、所定のタイミングで必要なコンテンツの送信要求を行う通信コンテンツリクエスト部と、前記通信コンテンツリクエスト部による送信要求に基づいて、前記コンテンツサーバから送信された通信コンテンツストリームを一時的に蓄積する通信コンテンツストリーム一時蓄積部と、前記番組再生シナリオ解釈部によって解釈された前記番組再生シナリオファイルの内容に基づいて、前記放送コンテンツストリームと前記通信コンテンツストリームの出力切り替えを行う出力コンテンツ切替制御部とを備えるコンピュータを、コンテンツ再生装置として機能させる構成とした。
【００２８】
かかる構成によれば、本発明のコンテンツ再生プログラムは、ユーザ向けの番組再生シナリオファイルが番組再生ファイルとは一番組を構成する番組内容の一部が、異なる再生時間の番組内容に差し替わっているので、再生時間の異なる放送コンテンツストリームと通信コンテンツストリームを相互に入れ替えて提示することを可能にしている。
【発明の効果】
【００２９】
本発明によれば、再生時間の異なる放送コンテンツストリームと通信コンテンツストリームを相互に入れ替えて提示することを可能にしている。
【図面の簡単な説明】
【００３０】
【図１】放送システムの構成を示す図である。
【図２】通信コンテンツ提供サーバが有するテーブルを模式的に示す図である。
【図３】コンテンツ再生装置の第１の構成を示す機能ブロック図である。
【図４】番組再生ファイルの模式的な構成例を示す図である。
【図５】番組再生シナリオファイルの模式的な構成例を示す図である。
【図６】図４に示す番組再生ファイルと、図５に示す番組再生シナリオファイルの時間的な関係を模式的に示す図である。
【図７】コンテンツ再生装置の第２の構成を示す機能ブロック図である。
【図８】番組再生ファイルの模式的な構成例を示す図である。
【図９】番組再生シナリオファイルの模式的な構成例を示す図である。
【図１０】図８に示す番組再生ファイルと、図９に示す番組再生シナリオファイルの時間的な関係を模式的に示す図である。
【図１１】コンテンツ再生装置の他の構成を示す機能ブロック図である。
【発明を実施するための形態】
【００３１】
以下、本発明の実施の形態について図面を参照して説明する。
放送システム１００は、図１に示すように、放送局１０１と、放送用アンテナ１０２と、ユーザ向け番組再生シナリオファイル作成サーバ（以下、シナリオファイル作成サーバという。）１０３と、通信コンテンツ提供サーバ１０４と、コンテンツ再生装置１と、表示装置２により構成される。なお、本実施例では、放送は、地上波デジタル放送であるとして説明するが、地上はアナログ放送や、衛星を利用した衛星デジタル放送や、衛星アナログ放送等であっても良い。
【００３２】
放送局１０１は、編成タイムテーブルにしたがい、ユーザの操作や受信機（例えば、コンテンツ再生装置１）の状態とは無関係に放送用アンテナ１０２を介して放送コンテンツを放送する。
【００３３】
シナリオファイル作成サーバ１０３は、ユーザ向けの番組再生シナリオファイルを作成し、所定のタイミングでコンテンツ再生装置１に送信する。ここで、シナリオファイル作成サーバ１０３は、ユーザが予め登録したユーザ個別の情報やユーザの過去の番組視聴履歴に応じて、ユーザ向けの番組再生シナリオファイルを作成してコンテンツ再生装置１に転送する。なお、番組再生シナリオファイルは、上述の作成方法に限定されず、ユーザの趣味や嗜好が反映されたものが作成されれば他の方法であっても良く、例えば、ユーザが過去にインターネット等を利用して閲覧したページの情報を加味して作成されても良い。
【００３４】
また、本実施例では、シナリオファイル作成サーバ１０３には、一台のコンテンツ再生装置１が接続されている例を示しているが、実際には、複数台のコンテンツ再生装置１が接続されている。よって、シナリオファイル作成サーバ１０３は、各コンテンツ再生装置１のユーザごとに番組再生シナリオファイルを作成して各コンテンツ再生装置１に転送する。
【００３５】
また、ユーザは、番組を視聴する際に、コンテンツ再生装置１を操作して、固有のユーザＩＤをシナリオファイル作成サーバ１０３に送信する構成であっても良い。このような構成の場合には、シナリオファイル作成サーバ１０３は、送信されてきたユーザＩＤに基づいてユーザを特定し、その特定したユーザが予め登録したユーザ個別の情報や、過去の番組視聴履歴に応じて、番組再生シナリオファイルを作成してコンテンツ再生装置１に転送する。
【００３６】
通信コンテンツ提供サーバ１０４は、放送局１０１により放送コンテンツとして放送されないが、放送コンテンツを作成する際に作成された副次的なコンテンツ（以下、通信コンテンツという。）を放送局１０１から受信し、蓄積しておく。また、通信コンテンツ提供サーバ１０４は、コンテンツ再生装置１からの送信要求（以下、リクエストという。）に応じて、蓄積されている通信コンテンツをストリーム化してコンテンツ再生装置１に送信する。
【００３７】
ここで、通信コンテンツ提供サーバ１０４は、例えば、放送局１０１から固有の再生ＩＤが付された通信コンテンツを受信し、図２に示すようなテーブルを作成する。なお、再生ＩＤは、通信コンテンツ提供サーバ１０４とシナリオファイル作成サーバ１０３との間で共有される構成であれば、通信コンテンツ提供サーバ１０４又はシナリオファイル作成サーバ１０３によって付されても良い。なお、図２に示すテーブルでは、例えば、詳細は後述する放送コンテンツの「一般ニュース」シーン（再生ＩＤは「２」）に差し替え可能な通信コンテンツのシーンとして、「経済ニュース」（再生ＩＤは「２ａ」）と「事故ニュース」（再生ＩＤは「２ｂ」）が登録され、放送コンテンツの「国際ニュース」シーン（再生ＩＤは「３」）に差し替え可能な通信コンテンツのシーンとして、「米国ニュース」（再生ＩＤは「３ａ」）と「英国ニュース」（再生ＩＤは「３ｂ」）が登録され、放送コンテンツの「全国の天気」シーン（再生ＩＤは「４」）に差し替え可能な通信コンテンツのシーンとして、「練馬区の天気」（再生ＩＤは「４ａ」）と「港区の天気」（再生ＩＤは「４ｂ」）が登録され、放送コンテンツの「エンディング」シーン（再生ＩＤは「５」）に差し替え可能な通信コンテンツのシーンとして、「インタビュー１」（再生ＩＤは「５ａ」）と「インタビュー２」（再生ＩＤは「５ｂ」）が登録されている。
【００３８】
また、コンテンツ再生装置１は、リクエストとして再生ＩＤを通信コンテンツ提供サーバ１０４に送信する。通信コンテンツ提供サーバ１０４は、テーブルを参照し、コンテンツ再生装置１から送信されてきた再生ＩＤに対応する通信コンテンツを読み出してコンテンツ再生装置１に送信する。
【００３９】
コンテンツ再生装置１は、シナリオファイル作成サーバ１０３から送信されてきたユーザ向け番組再生シナリオファイルの内容にしたがって、放送コンテンツストリーム（以下では、放送コンテンツという。）と通信コンテンツストリーム（以下では、通信コンテンツという。）を適宜切り替えながら再生処理を行う。
【００４０】
表示装置２は、コンテンツ再生装置１によって再生処理された映像を出力する。なお、表示装置２は、音声を出力するスピーカを備えており、コンテンツ再生装置１によって同期がとられた映像と音声の出力を行う。
【００４１】
＜第１の構成＞
ここで、コンテンツ再生装置１の第１の構成と動作を詳細に説明する。コンテンツ再生装置１は、図３に示すように、放送波復調部１１と、放送コンテンツストリーム多重分離部１２と、第１デコーダ部１３と、放送コンテンツストリーム一時蓄積部１４と、番組再生シナリオ解釈部１５と、統合管理部１６と、通信コンテンツリクエスト部１７と、第２デコーダ部１８と、通信コンテンツストリーム一時蓄積部１９と、出力コンテンツ切替制御部２０と、第１読出部２１と、第２読出部２２と、切替部２３を備える。
【００４２】
放送波復調部１１は、放送用アンテナ１０２を介して放送局１０１から放送された放送波を受信し、所定の復調処理を行い、デジタルストリームにする。具体的には、放送波復調部１１では、チューナによって受信した放送波をＲＦ部によってベースバンド信号に変換し、変換後のベースバンド信号をＡＤ変換し、ＡＤ変換後の信号に対して復調処理（ＯＦＤＭ復調）を行い、デジタルストリームにする。なお、放送波復調部１１により復調を行う放送波は、放送局１０１により予め作成された、一番組を構成する複数の番組内容で構成されている番組再生ファイルに基づいて送信される通常の放送波である。
【００４３】
放送コンテンツストリーム多重分離部１２は、復調処理後のデジタルストリームを多重分離する。ここで、デジタルストリームは、複数のＴＳ（Ｔｒａｎｓｐｏｒｔ  Ｓｔｒｅａｍ）パケットによって構成されており、ＴＳパケットは、映像・音声パケットと、情報パケット（ＤＴＳ（Ｄｅｃｏｄｅ  Ｔｉｍｅ  Ｓｔａｍｐ）やＰＴＳ（Ｐｒｅｓｅｎｔａｔｉｏｎ  Ｔｉｍｅ  Ｓｔａｍｐ）等）によって構成されている。
【００４４】
放送コンテンツストリーム多重分離部１２は、デジタルストリームを映像・音声パケット（映像・音声ストリーム）と、情報パケット（情報ストリーム）に分離し、映像・音声ストリームを第１デコーダ部１３に送信し、情報ストリームを統合管理部１６に送信する。
【００４５】
第１デコーダ部１３は、映像・音声ストリームを復号処理し、復号後の映像・音声ストリームを放送コンテンツストリーム一時蓄積部１４に送信する。なお、以下では、映像・音声ストリームを放送コンテンツという。
放送コンテンツストリーム一時蓄積部１４は、放送コンテンツを一時的に蓄積する。
【００４６】
番組再生シナリオ解釈部１５は、シナリオファイル作成サーバ１０３から受信したユーザ向けの番組再生シナリオファイル（以下では、番組再生シナリオファイルという。）の内容を所定のフォーマットにしたがって解釈する。
番組再生シナリオファイルは、番組再生ファイルの中の一番組を構成する番組内容の一部が、番組再生ファイルの再生時間とは異なる番組内容に差し替わっている番組再生シナリオファイルのことである。
【００４７】
ここで、番組再生ファイルと、番組再生シナリオファイルの違いについて説明する。番組再生ファイルは、例えば、図４に示すように、オリジナルの放送番組の内容により構成されているファイルである。図４に示す番組再生ファイルは、全部で５つのシーン（コンテンツ）から構成されており、全体で再生時間が１５分間の番組で構成されている。番組再生ファイルは、各シーン（コンテンツ）内容に対して、固有の再生ＩＤと、放送コンテンツか通信コンテンツかを示す情報と、放送開始点と、放送終了点と、再生時間（分−秒−フレーム）の情報が関連付けられている。放送局１０１は、この番組再生ファイルにしたがって放送を行う。
【００４８】
また、番組再生シナリオファイルは、上述したように、シナリオファイル作成サーバ１０３により作成されるファイルであり、例えば、図５に示すように、番組再生ファイルをユーザ向けにカスタマイズされたファイルである。
【００４９】
図５に示す番組再生シナリオファイルは、図４に示す番組再生ファイルと比較して、放送コンテンツの再生ＩＤ２に対応する「一般ニュース」映像シーン（コンテンツ）が通信コンテンツの再生ＩＤ２ａに対応する「経済ニュース」映像シーン（コンテンツ）に差し替わっており、また、放送コンテンツの再生ＩＤ４に対応する「全国の天気」映像シーン（コンテンツ）が通信コンテンツの再生ＩＤ４ａに対応する「練馬区の天気」映像シーン（コンテンツ）に差し替わっている。
【００５０】
また、通信コンテンツの再生ＩＤ２ａに対応する「経済ニュース」の再生時間は、オリジナルの放送コンテンツの再生ＩＤ２に対応する「一般ニュース」の再生時間よりも１分間長い映像シーン（コンテンツ）になっている。
【００５１】
また、通信コンテンツの再生ＩＤ４ａに対応する「練馬区の天気」の再生時間は、オリジナルの放送コンテンツの再生ＩＤ４に対応する「全国の天気」の再生時間よりも１０秒間長い映像シーン（コンテンツ）になっている。
【００５２】
すなわち、番組再生シナリオファイルは、まず、放送コンテンツの「政治ニュース」を再生し、当該「政治ニュース」の再生終了後、通信コンテンツの「経済ニュース」を再生し、当該「経済ニュース」の再生終了後、放送コンテンツの「国際ニュース」を再生し、当該「国際ニュース」の再生終了後、通信コンテンツの「練馬区の天気」を再生し、当該「練馬区の天気」の再生終了後、放送コンテンツの「エンディング」を再生するファイルになっている。
【００５３】
なお、図４及び図５に示す例では、番組内の各シーンにおいて、一つのシーンから連続する他のシーンへの切り替わりタイミング（放送開始点、放送終了点及び再生時間）が事前にわかっていることが前提になっている。
【００５４】
また、図４及び図５に示す内容は、概念的なものであり、放送開始点、放送終了点及び再生時間等は、本実施例の仕組みを分かりやすくするために簡素化した記述方式として表されている。
【００５５】
ここで、上述した番組再生ファイルと、番組再生シナリオファイルの時間的な関係を模式的に図６に示す。本実施例では、図６に示すように、コンテンツ再生装置１は、放送コンテンツの「政治ニュース」を再生終了後に、通信コンテンツの「経済ニュース」を差し替えて再生し、当該「経済ニュース」の再生終了後に放送コンテンツの「国際ニュース」を再生する場合、差し替えた「経済ニュース」は差し替え前の「一般ニュース」よりも再生時間が１分間長いため、「国際ニュース」を最初から再生する場合には、実際に放送される「国際ニュース」よりも１分間遅らせて再生する。
【００５６】
また、コンテンツ再生装置１は、「国際ニュース」の再生終了後に、通信コンテンツの「練馬区の天気」を差し替えて再生し、当該「練馬区の天気」の再生終了後に放送コンテンツの「エンディング」を再生する場合、差し替えた「練馬区の天気」は差し替え前の「全国の天気」よりも再生時間が１０秒間長いため、「エンディング」を最初から再生する場合には、実際に放送される「エンディング」よりもトータルで１分１０秒間遅らせて再生する。
【００５７】
このようにして、コンテンツ再生装置１は、元々１５分間の番組再生ファイルを１６分１０秒間の番組再生シナリオファイルとしてユーザ向けにカスタマイズして提示することができる。
【００５８】
放送波復調部１１は、放送用アンテナ１０２から受信した放送波信号を復調し、デジタルストリームにする。このデジタルストリームは、放送コンテンツストリーム多重分離部１２において多重分離されて、映像ストリームと音声ストリームが取り出される。そして、取り出された映像ストリームと音声ストリームは、第１デコーダ部１３へ転送される。放送コンテンツストリーム多重分離部１２において多重分離する際に、放送コンテンツストリームからはコンテンツの提示タイミングを示す情報（ＰＴＳ（Ｐｒｅｓｅｎｔａｔｉｏｎ  Ｔｉｍｅ  Ｓｔａｍｐ）、ＤＴＳ（Ｄｅｃｏｄｅ  Ｔｉｍｅ  Ｓｔａｍｐ））を抽出する。この提示タイミング情報は、統合管理部１６へ転送される。第１デコーダ部１３でデコードされた映像ストリーム・音声ストリームは、放送コンテンツストリーム一時蓄積部１４において一時的に蓄積される。
【００５９】
また、番組再生シナリオ解釈部１５は、番組再生シナリオファイルを解釈した内容を統合管理部１６に送信する。
【００６０】
統合管理部１６は、番組再生シナリオの内容にしたがって、通信コンテンツリクエスト部１７に指示を出す。
【００６１】
通信コンテンツリクエスト部１７は、番組再生シナリオ解釈部１５によって解釈された番組再生シナリオファイルの内容に基づき、ネットワーク上の通信コンテンツ提供サーバ１０４に対して、所定のタイミングで必要なコンテンツのリクエストを行う。
【００６２】
また、通信コンテンツリクエスト部１７は、通信コンテンツを表示装置２で表示（再生）するタイミングで通信コンテンツ提供サーバ１０４にリクエストするのではなく、リクエストが通信コンテンツ提供サーバ１０４に到達する時間や、通信コンテンツ提供サーバ１０４がリクエストを受け取ってから所定の通信コンテンツを読み出してコンテンツ再生装置１に送信するまでの時間や、受信した通信コンテンツを第２デコーダ部１８でデコードする時間等を考慮して決定される所定のタイミングでリクエストする。
【００６３】
コンテンツ再生装置１は、ある程度余裕を持って事前に通信コンテンツ提供サーバ１０４にリクエストするので、通信コンテンツが必要なタイミングよりも早目に到着するため、第２デコーダ部１８でデコードした後、通信コンテンツストリーム一時蓄積部１９において、一時的に蓄積しておく。
【００６４】
このようにして、コンテンツ再生装置１では、放送コンテンツストリーム一時蓄積部１４には放送コンテンツが一時的に蓄積されている状態となり、また、通信コンテンツストリーム一時蓄積部１９には通信コンテンツが一時的に蓄積されている状態となる。
【００６５】
また、出力コンテンツ切替制御部２０は、番組再生シナリオ解釈部１５によって解釈された番組再生シナリオファイルの内容に基づき、第１読出部２１と、第２読出部２２と、切替部２３を制御して、放送コンテンツと通信コンテンツの出力切り替えを適宜行う。
第１読出部２１と第２読出部２２は、出力コンテンツ切替制御部２０にコンテンツをどの部分まで読み出したのかの情報を提供する。
出力コンテンツ切替制御部２０は、第１読出部２１と第２読出部２２とから提供される情報を、切替部２３に対する切り替え指示に利用する。
【００６６】
ここで、出力コンテンツ切替制御部２０の具体的な動作について説明する。出力コンテンツ切替制御部２０は、切替部２３を第１読出部２１側に切り替えて、「政治ニュース」を表示装置２へ出力し、第１読出部２１から再生開始から「２分１４秒２０フレーム」が経過した旨の情報を取得したときに、第１読出部２１に対して放送コンテンツの読み出しを中止する旨の信号を送信し、第２読出部２２に対して、通信コンテンツストリーム一時蓄積部１９から「経済ニュース」を読み出す旨の信号を送信し、切替部２３に対して第２読出部２２側に切り替える旨の信号を送信する。よって、表示装置２には、「政治ニュース」に続いて「経済ニュース」が再生される。
【００６７】
また、出力コンテンツ切替制御部２０は、「経済ニュース」の再生を開始し、３分１８秒間経過したときに、第２読出部２２に対して通信コンテンツの読み出しを中止する旨の信号を送信し、第１読出部２１に対して、放送コンテンツストリーム一時蓄積部１４の中で蓄積されていた放送ストリームデータから、「国際ニュース」の開始点（４分３２秒２０フレーム）を探し出し、そこから読み出す旨の信号を送信し、切替部２３に対して第１読出部２１側に切り替える旨の信号を送信する。よって、表示装置２には、「経済ニュース」に続いて「国際ニュース」が再生される。
【００６８】
また、出力コンテンツ切替制御部２０は、第１読出部２１から「国際ニュース」の再生開始から「３分４０秒２２フレーム」が経過した旨の情報を取得したときに、第１読出部２１に対して放送コンテンツの読み出しを中止する旨の信号を送信し、第２読出部２２に対して、通信コンテンツストリーム一時蓄積部１９から「練馬区の天気」を読み出す旨の信号を送信し、切替部２３に対して第２読出部２２側に切り替える旨の信号を送信する。よって、表示装置２には、「国際ニュース」に続いて「練馬区の天気」が再生される。
【００６９】
また、出力コンテンツ切替制御部２０は、「練馬区の天気」の再生を開始し、３分４０秒間経過したときに、第２読出部２２に対して通信コンテンツの読み出しを中止する旨の信号を送信し、第１読出部２１に対して、放送コンテンツストリーム一時蓄積部１４の中で蓄積されていた放送ストリームデータから「エンディング」の開始点（１１分４３秒１２フレーム）を探し出し、そこから読み出す旨の信号を送信し、切替部２３に対して第１読出部２１側に切り替える旨の信号を送信する。よって、表示装置２には、「練馬区の天気」に続いて「エンディング」が再生される。
【００７０】
このようにして、コンテンツ再生装置１は、番組再生ファイルとは一番組を構成する内容の一部が、異なる再生時間の内容に差し替わっているユーザ向けの番組再生シナリオファイルの内容にしたがい、放送番組の一部を再生時間の異なる通信コンテンツと相互に入れ替えて提示することができる。
【００７１】
また、番組再生ファイルと番組再生シナリオファイルは、図４及び図５に示すように、複数のコンテンツから構成されており、少なくとも最初のコンテンツ（図４及び図５に示す例では、「政治ニュース」）は同一である。
【００７２】
このような構成の場合には、出力コンテンツ切替制御部２０は、番組再生シナリオファイルの内容に基づいて最初のコンテンツを出力する場合には、放送コンテンツを出力するように切り替える。また、厳密には、第１デコーダ部１３によりデコードされた「政治ニュース」の放送コンテンツは、放送コンテンツストリーム一時蓄積部１４に蓄積されずにスルーされて第１読出部２１及び切替部２３を介して表示装置２に出力される。
【００７３】
したがって、コンテンツ再生装置１は、番組再生シナリオファイルの内容に基づいて最初のコンテンツを出力する場合には、放送コンテンツを優先的に出力するように切り替えるので、番組再生ファイルにしたがってリアルタイムに番組の視聴を開始したユーザに対して、その後、ユーザ向けの番組再生シナリオファイルにしたがって通信コンテンツの提供を行うことができる。
【００７４】
また、出力コンテンツ切替制御部２０は、放送コンテンツストリーム多重分離部１２により分離（抽出）された放送コンテンツに含まれる情報ストリーム（ＤＴＳ及びＰＴＳ等）に基づいて、放送コンテンツから通信コンテンツに切り替える。
【００７５】
したがって、コンテンツ再生装置１は、放送コンテンツに含まれている時間情報（ＤＴＳやＰＴＳ等）を利用して、放送コンテンツから通信コンテンツに切り替えるので、コンテンツ間の切り替えを映像フレーム単位で滑らかに行うことができる。
【００７６】
＜第２の構成＞
つぎに、コンテンツ再生装置１の第２の構成と動作を詳細に説明する。上述の第１の構成では、番組内の各シーン（コンテンツ）の放送開始点、放送終了点及び再生時間が予め分かっているので、前後のシーン（コンテンツ）の切り替えタイミングを容易に把握することができたが、第２の構成では、番組全体の再生時間は分かっているが、放送開始点、放送終了点及び再生時間が予め分からず、シーンの切り替えタイミングが事前に分からない場合の処理について説明する。また、第１の構成と同様の構成要素には、同一の番号を付して説明する。
【００７７】
コンテンツ再生装置１は、図７に示すように、放送波復調部１１と、放送コンテンツストリーム多重分離部１２と、第１デコーダ部１３と、放送コンテンツストリーム一時蓄積部１４と、番組再生シナリオ解釈部１５と、統合管理部１６と、通信コンテンツリクエスト部１７と、第２デコーダ部１８と、通信コンテンツストリーム一時蓄積部１９と、出力コンテンツ切替制御部２０と、第１読出部２１と、第２読出部２２と、切替部２３と、タイミング情報記録部２４を備える。
【００７８】
図８に示す番組再生ファイルは、図４に示す番組再生ファイルと同様に、全部で５つのシーン（コンテンツ）から構成されており、全体で再生時間が１５分間の番組で構成されている。また、番組再生ファイルは、番組再生ファイルとは異なり、番組全体の再生時間は分かっているが、放送開始点、放送終了点及び再生時間が決まっていない。
【００７９】
また、番組再生シナリオファイルは、シナリオファイル作成サーバ１０３により作成されるファイルであり、図９に示すように、番組再生ファイルをユーザ向けにカスタマイズされたファイルである。
番組再生シナリオ解釈部１５は、シナリオファイル作成サーバ１０３から受信した番組再生シナリオファイルの内容を所定の処理を行って解釈する。
【００８０】
図９に示す番組再生シナリオファイルは、図８に示す番組再生ファイルと比較して、放送コンテンツの再生ＩＤ２に対応する「一般ニュース」映像シーン（コンテンツ）が通信コンテンツの再生ＩＤ２ａに対応する「経済ニュース」映像シーン（コンテンツ）に差し替わっており、また、放送コンテンツの再生ＩＤ４に対応する「全国の天気」映像シーン（コンテンツ）が通信コンテンツの再生ＩＤ４ａに対応する「練馬区の天気」映像シーン（コンテンツ）に差し替わっている。
【００８１】
ここで、放送コンテンツストリーム多重分離部１２は、放送コンテンツストリームを多重分離する時に、各コンテンツを切り替える切替タイミング情報信号を抽出する。このような構成の場合には、出力コンテンツ切替制御部２０は、切替タイミング情報信号に基づいて、放送コンテンツストリームから通信コンテンツストリームに切り替える。
また、切替タイミング情報信号は、例えば、データ放送のイベントメッセージを利用して放送局１０１から送信される構成であっても良い。
【００８２】
統合管理部１６は、放送コンテンツストリーム多重分離部１２から送信されてきた切替タイミング情報信号をタイミング情報記録部２４に格納する。
【００８３】
図８に示す番組再生ファイルでは、「政治ニュース」は、放送開始点が「００−００−００」であり、放送終了点が「切替タイミング情報信号１を受信した時（信号１受信時）」であり、「一般ニュース」は、放送開始点が「信号１受信時」であり、放送終了点が「切替タイミング情報信号２を受信した時（信号２受信時）」であり、「国際ニュース」は、放送開始点が「信号２受信時」であり、放送終了点が「切替タイミング情報信号３を受信した時（信号３受信時）」であり、「全国の天気」は、放送開始点が「信号３受信時」であり、放送終了点が「切替タイミング情報信号４を受信した時（信号４受信時）」であり、「エンディング」は、放送開始点が「信号４受信時」であり、放送終了点が「１５−００−００」である。
【００８４】
また、番組再生シナリオ解釈部１５がシナリオファイル作成サーバ１０３から受信する番組再生シナリオファイルは、例えば、図９に示すように、「政治ニュース」は、放送開始点が「００−００−００」であり、放送終了点が「切替タイミング情報信号１を受信した時（信号１受信時）」であり、「国際ニュース」は、放送開始点が「信号２受信時」であり、放送終了点が「切替タイミング情報信号３を受信した時（信号３受信時）」であり、「エンディング」は、放送開始点が「信号４受信時」であり、放送終了点が「１５−００−００」である。
【００８５】
なお、放送コンテンツから差し替わる通信コンテンツの「経済ニュース」及び「練馬区の天気」は、通信コンテンツ提供サーバ１０４に格納されており再生時間が分かるので、便宜上、放送開始点と放送終了点をブランクにしてある。
【００８６】
ここで、図７及び図１０を参照して、出力コンテンツ切替制御部２０の具体的な動作について説明する。
統合管理部１６は、番組冒頭の「政治ニュース」が始まると、次の「一般ニュース」にシーンが切り替わるタイミングは事前にはわからないため、直ちに通信コンテンツリクエスト部１７に指示を出し、通信コンテンツ提供サーバ１０４に向けて通信コンテンツ「経済ニュース」をリクエストする。
【００８７】
第２デコーダ部１８は、「経済ニュース」を受信するとデコード処理を行い、デコード後の「経済ニュース」を通信コンテンツストリーム一時蓄積部１９に一時的に蓄積する。
【００８８】
しばらくすると、現在再生中の「政治ニュース」が終わり、放送コンテンツは、「一般ニュース」にシーンが切り替わる。この切り替わるタイミングを知らせる信号（切替タイミング情報信号１）が放送波に多重されて送られてくるため、放送コンテンツストリーム多重分離部１２は、分離処理により切替タイミング情報信号１を受信したことを統合管理部１６に知らせる。
【００８９】
統合管理部１６は、切替タイミング情報信号１が通知されたときに、出力コンテンツ切替制御部２０を介して、直ちに第１読出部２１、第２読出部２２及び切替部２３に指示を出し、通信コンテンツストリーム一時蓄積部１９に蓄積され再生待ち状態になっていた「経済ニュース」を読み出して、表示装置２に出力するように制御する。
【００９０】
また、コンテンツ再生装置１は、「経済ニュース」の再生中に、放送コンテンツが「一般ニュース」から「国際ニュース」にシーンが切り替わるタイミングを知らせる信号（切替タイミング情報信号２）を受信する。統合管理部１６は、放送コンテンツストリーム多重分離部１２から切替タイミング情報信号２が通知されたときに、タイミング情報記録部２４に記録しておく。
【００９１】
ここで、切替タイミング情報信号１を受信したタイミングをＴ１、切替タイミング情報信号２を受信したタイミングをＴ２とすると、「一般ニュース」のシーン時間長Ｌｏ１は、「Ｌｏ１＝Ｔ２−Ｔ１」により算出することができる。
【００９２】
「経済ニュース」の再生が終了すると、統合管理部１６は、出力コンテンツ切替制御部２０を介して、第１読出部２１、第２読出部２２及び切替部２３に指示を出し、今度は放送コンテンツストリーム一時蓄積部１４の中で蓄積されていた放送ストリームデータから、「国際ニュース」の放送開始点を探し出し、そこから読み出し出力を行うように制御する。
【００９３】
ここで、「一般ニュース」の代わりに再生していた「経済ニュース」の時間長をＬｓ１とすれば、「国際ニュース」は、放送よりも「Ｄ１＝Ｌｓ１−Ｌｏ１」だけ遅れてタイムシフト再生されていることになる。
【００９４】
つぎに、統合管理部１６は、通信コンテンツリクエスト部１７に指示を出し、通信コンテンツ提供サーバ１０４に向けて「練馬区の天気」をリクエストする。
第２デコーダ部１８は、「練馬区の天気」を受信するとデコード処理を行い、デコード後の「練馬区の天気」を通信コンテンツストリーム一時蓄積部１９に一時的に蓄積する。
【００９５】
また、コンテンツ再生装置１は、「国際ニュース」を放送よりもＤ１だけ遅れてタイムシフト再生している途中で、放送コンテンツが「国際ニュース」から「全国の天気」にシーンが切り替わったことを知らせる信号（切替タイミング情報信号３）を受信する。統合管理部１６は、放送コンテンツストリーム多重分離部１２から切替タイミング情報信号３が通知されたときに、タイミング情報記録部２４に記録しておく。
【００９６】
統合管理部１６は、Ｔ３＋Ｄ１のタイミングで（切替タイミング情報信号３を受信したタイミングをＴ３とする）、放送コンテンツの出力をやめて、「練馬区の天気」を出力するように、出力コンテンツ切替制御部２０を介して、第１読出部２１、第２読出部２２及び切替部２３に指示を出し、通信コンテンツストリーム一時蓄積部１９に蓄積され再生待ち状態になっていた「練馬区の天気」を読み出して、表示装置２に出力するように制御する。
【００９７】
また、コンテンツ再生装置１は、「練馬区の天気」の再生中に、放送コンテンツが「全国の天気」から「エンディング」にシーンが切り替わるタイミングを知らせる信号（切替タイミング情報信号４）を受信する。統合管理部１６は、放送コンテンツストリーム多重分離部１２から切替タイミング情報信号４が通知されたときに、タイミング情報記録部２４に記録しておく。
【００９８】
「練馬区の天気」の再生が終了すると、統合管理部１６は、出力コンテンツ切替制御部２０を介して、第１読出部２１、第２読出部２２及び切替部２３に指示を出し、放送コンテンツストリーム一時蓄積部１４の中で蓄積されていた放送ストリームデータから、「エンディング」の放送開始点を探し出し、そこから読み出し出力を行うように制御する。
ここで、「エンディング」は、放送よりも「Ｄ２＝Ｄ１＋Ｌｓ３−Ｌｏ３」だけ遅れてタイムシフト再生されることになる。
【００９９】
このようにして、コンテンツ再生装置１は、事前にはシーンの切り替えタイミングが不明な番組についても、放送コンテンツと通信コンテンツを切り替えながらユーザ向けにカスタマイズした番組として提示することが可能となる。
【０１００】
また、上述した第１の構成及び第２の構成では、放送コンテンツ及び通信コンテンを第１デコーダ部１３及び第２デコーダ部１８によってデコード処理した後に放送コンテンツストリーム一時蓄積部１４及び通信コンテンツストリーム一時蓄積部１９に蓄積する構成例を示したが、この構成に限られず、図１１に示すように、第１デコーダ部１３の前段部に放送コンテンツストリームデコード前蓄積部１４ａを配置し、第１デコーダ部１３の後段部に放送コンテンツストリーム一時蓄積部１４ｂを配置し、また、第２デコーダ部１８の前段部に通信コンテンツストリームデコード前蓄積部１９ａを配置し、第２デコーダ部１８の後段部に通信コンテンツストリーム一時蓄積部１９ｂを配置する構成であっても良い。デコード処理後は、データ量がデコード前よりも大きくなってしまうからである。例えば、放送コンテンツと通信コンテンツがＨＤ（Ｈｉｇｈ  Ｄｅｆｉｎｉｔｉｏｎ）方式の場合には、デコード処理後のデータ量が大きくなってしまうため、図１１に示す構成が好ましい。
【０１０１】
このような構成によれば、前段部の蓄積部（放送コンテンツストリームデコード前蓄積部１４ａ及び通信コンテンツストリームデコード前蓄積部１９ａ）をコンテンツストリームを再生待ちにしておくために利用し、後段部の蓄積部（放送コンテンツストリーム一時蓄積部１４ｂ及び通信コンテンツストリーム一時蓄積部１９ｂ）は、放送コンテンツと通信コンテンツを映像フレーム単位で滑らかに切り替えるための調整のためのバッファとして利用することができ、比較的に小さなバッファ空間でシステムを構築することが可能である。
【符号の説明】
【０１０２】
１  コンテンツ再生装置
２  表示装置
１１  放送波復調部
１２  放送コンテンツストリーム多重分離部
１３  第１デコーダ部
１４  放送コンテンツストリーム一時蓄積部
１５  番組再生シナリオ解釈部
１６  統合管理部
１７  通信コンテンツリクエスト部
１８  第２デコーダ部
１９  通信コンテンツストリーム一時蓄積部
２０  出力コンテンツ切替制御部
２１  第１読出部
２２  第２読出部
２３  切替部
２４  タイミング情報記録部
１００  放送システム
１０１  放送局
１０２  放送用アンテナ
１０３  シナリオファイル作成サーバ
１０４  通信コンテンツ提供サーバ
【図１】
2011193184.tif 000003
【図２】
2011193184.tif 000004
【図３】
2011193184.tif 000005
【図４】
2011193184.tif 000006
【図５】
2011193184.tif 000007
【図６】
2011193184.tif 000008
【図７】
2011193184.tif 000009
【図８】
2011193184.tif 000010
【図９】
2011193184.tif 000011
【図１０】
2011193184.tif 000012
【図１１】
2011193184.tif 000013